【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
予め診断名と関連付けられた情報に基づいて診断を支援する診断支援装置であって、
ユーザにより操作される操作部から入力された診断名を取得する取得手段と、
前記操作部から入力された診断名に対して否定的な情報を、前記情報に基づいて提供する提供手段と、
を備えることを特徴とする診断支援装置。
【請求項２】
前記取得手段は、前記操作部から入力された情報をさらに取得し、
前記提供手段は、
前記操作部から入力された情報に基づき推論結果として診断名を得る推論手段を含み、
前記操作部から入力された診断名と同一の前記推論結果に対して否定的な情報を提供する
ことを特徴とする請求項１に記載の診断支援装置。
【請求項３】
前記推論手段は、複数の推論結果を得て、
前記提供手段は、前記診断名と同一の推論結果に対して否定的であり且つ前記診断名と異なる推論結果に対して肯定的な情報を前記操作部から入力された情報の中から提供する
ことを特徴とする請求項２に記載の診断支援装置。
【請求項４】
前記推論手段は、複数の推論結果を得て、
前記提供手段は、前記診断名と同一の推論結果に対して否定的であり且つ前記診断名と異なる推論結果に対して肯定的な情報を、入力可能な情報のうち前記推論に用いなかった情報から提供する
ことを特徴とする請求項２に記載の診断支援装置。
【請求項５】
前記診断名と異なる推論結果は、前記診断名と同一の推論結果よりも重要度の高い診断名と同一の推論結果であることを特徴とする請求項３又は４に記載の診断支援装置。
【請求項６】
入力可能な情報のうちの少なくとも複数の情報と、ユーザにより操作される操作部から入力された診断名を取得する取得手段と、
前記複数の情報に基づき複数の推論結果を得る推論手段と、
前記推論手段での前記診断名と同一の推論結果及び前記診断名と異なる推論結果に対して、どちらか一方に肯定的で且つ他方に否定的な情報を前記入力可能な情報の中から提供する提供手段と、
を備えることを特徴とする診断支援装置。
【請求項７】
前記提供手段は、前記入力可能な情報のうち前記推論に用いた情報から提供することを特徴とする請求項６に記載の診断支援装置。
【請求項８】
前記提供手段は、前記入力可能な情報のうち前記推論に用いなかった情報から提供することを特徴とする請求項６に記載の診断支援装置。
【請求項９】
前記診断名と異なる推論結果は、前記操作部から入力された診断名と同一の推論結果よりも重要度の高い診断名と同一の推論結果であることを特徴とする請求項７又は８に記載の診断支援装置。
【請求項１０】
前記提供手段で提供された診断名を肯定する情報と否定する情報とを異なる表示形態で表示手段に表示する表示制御手段を更に備えることを特徴とする請求項６乃至請求項９のいずれか１項に記載の診断支援装置。
【請求項１１】
医療診断を支援する情報を提供する診断支援装置であって、
前記医療診断の対象に関する医用情報を既入力情報として取得する医用情報取得手段と、
ユーザにより操作される操作部から入力された想定診断名を取得する想定診断名取得手段と、
前記既入力情報に基づいて選択した医用情報の夫々に関して、前記想定診断名への影響度を示す第１の影響度を取得する影響度取得手段と、
前記第１の影響度に基づいて、前記医用情報の少なくとも一部を支援情報として選択する選択手段と、
前記支援情報を提示する提示手段と、
を有することを特徴とする診断支援装置。
【請求項１２】
前記想定診断名との比較を行う比較診断名を取得する比較診断名取得手段を更に有し、
前記影響度取得手段は、更に、前記比較診断名への影響度を示す第２の影響度を取得し、
前記選択手段は、前記第１の影響度と前記第２の影響度とに基づいて、前記医用情報の少なくとも一部を支援情報として選択する
ことを特徴とする請求項１１に記載の診断支援装置。
【請求項１３】
前記既入力情報に基づいて前記医療診断に係る推論結果を取得する推論手段を更に有し、
前記比較診断名は、前記推論結果のうち、可能性が高い診断名であることを特徴とする請求項１２に記載の診断支援装置。
【請求項１４】
前記比較診断名は、前記想定診断名より重要度の高い診断名であることを特徴とする請求項１２に記載の診断支援装置。
【請求項１５】
前記支援情報は、前記既入力情報の少なくとも一部であることを特徴とする請求項１１に記載の診断支援装置。
【請求項１６】
前記支援情報は、前記既入力情報以外の医用情報である未入力情報の少なくとも一部であることを特徴とする請求項１１に記載の診断支援装置。
【請求項１７】
前記支援情報は、前記想定診断名及び前記比較診断名のいずれか一方に肯定的な情報で、かつ、もう一方の診断名に否定的な情報であることを特徴とする請求項１２に記載の診断支援装置。
【請求項１８】
前記支援情報は、前記想定診断名に否定的な情報で、前記比較診断名に肯定的な情報であることを特徴とする請求項１４に記載の診断支援装置。
【請求項１９】
前記支援情報は、前記想定診断名に肯定的な情報であることを特徴とする請求項１６に記載の診断支援装置。
【請求項２０】
前記支援情報は、前記想定診断名に肯定的な情報で、前記比較診断名に否定的な情報であることを特徴とする請求項１６に記載の診断支援装置。
【請求項２１】
前記推論手段は、前記既入力情報と前記医用情報の夫々の組に基づいて前記医療診断に係る第２の推論結果を取得し、
前記比較診断名取得手段は、前記第２の推論結果から第２の比較診断名を取得する
ことを特徴とする請求項１３に記載の診断支援装置。
【請求項２２】
前記支援情報は、前記想定診断名と前記第２の比較診断名とが一致するような情報であることを特徴とする請求項２１に記載の診断支援装置。
【請求項２３】
前記支援情報は、前記推論結果と、前記想定診断名に最も肯定的な情報を入力した場合、及び、前記想定診断名に最も否定的な情報を入力した場合の、推論結果の推移を示すような情報であることを特徴とする請求項２１に記載の診断支援装置。
【請求項２４】
予め診断名と関連付けられた情報に基づいて診断を支援する診断支援装置の制御方法であって、
取得手段が、ユーザにより操作される操作部から入力された診断名を取得する取得ステップと、
提供手段が、前記操作部から入力された診断名に対して否定的な情報を、前記情報に基づいて提供する提供ステップと、
を有することを特徴とする診断支援装置の制御方法。
【請求項２５】
診断支援装置の制御方法であって、
取得手段が、入力可能な情報のうちの少なくとも複数の情報と、ユーザにより操作される操作部から入力された診断名を取得する取得ステップと、
推論手段が、前記複数の情報に基づき複数の推論結果を得る推論ステップと、
提供手段が、前記推論ステップでの前記診断名と同一の推論結果及び前記診断名と異なる推論結果に対して、どちらか一方に肯定的で且つ他方に否定的な情報を前記入力可能な情報の中から提供する提供ステップと、
を有することを特徴とする診断支援装置の制御方法。
【請求項２６】
医療診断を支援する情報を提供する診断支援装置の制御方法であって、
医用情報取得手段が、前記医療診断の対象に関する医用情報を既入力情報として取得するステップと、
想定診断名取得手段が、ユーザにより操作される操作部から入力された想定診断名を取得するステップと、
影響度取得手段が、前記既入力情報に基づいて選択した医用情報の夫々に関して、前記想定診断名への影響度を示す第１の影響度を取得するステップと、
選択手段が、前記第１の影響度に基づいて、前記医用情報の少なくとも一部を支援情報として選択するステップと、
提示手段が、前記支援情報を提示するステップと、
を有することを特徴とする診断支援装置の制御方法。
【請求項２７】
コンピュータを、請求項１乃至２３のいずれか１項に記載の診断支援装置が有する各手段として機能させるためのプログラム。